(57)【要約】【課題】  粘着力に優れた付け爪用接着テープを、容易かつ精密に製造する。【解決手段】  付け爪（２００）の接着剤貼付領域の曲面形状に対応した凹型（１２５）より形成される付け爪接着用テープ製造用金型（１２０）に粘着剤を流し込む工程と、粘着剤を乾燥させ、付け爪接着用テープ製造用金型（１２０）の形状を持つ付け爪接着用テープ（１００）を形成する工程と、付け爪接着用テープ（１００）を付け爪接着用テープ製造用金型（１２０）から取り出す工程により付け爪用接着テープ１００を製造する。【選択図】  図４
2006305152.tif 000002
【特許請求の範囲】
【請求項１】
付け爪の接着剤貼付領域の曲面形状に対応し、前記接着剤貼付領域との接着面を形成する粘着性の曲面部と、
前記曲面部の対面に形成され人体の爪との接着面を形成する粘着性の平面部を有し、
前記曲面部と前記平面部によって囲われる形状の厚みは中央部から側沿部に向かうに従って減少し、前記中央部から爪の先端方向への厚みの減少率が前記中央部から爪の根元方向への厚みの減少率よりも小さい、付け爪接着用テープ。
【請求項２】
前記曲面部に対応した形状に加工され、前記曲面部に密着する第１の剥離層と、
前記平面部に密着する第２の剥離層を有する請求項１に記載の付け爪接着用テープ。
【請求項３】
粘度が８０〜３００００ｃｐｓ、粘着力が２００〜３０００ｇの水溶性粘着剤によって形成された請求項１または請求項２に記載の付け爪接着用テープ。
【請求項４】
粘度が１００〜１００００ｃｐｓ、粘着力が５〜３５００ｇの溶剤性粘着剤によって形成された請求項１または請求項２に記載の付け爪接着用テープ。
【請求項５】
請求項１、請求項３または請求項４に記載の付け爪接着用テープを接着剤貼付領域に有する付け爪。
【請求項６】
付け爪の接着剤貼付領域の曲面形状に対応した凹部より形成される金型に粘着剤を流し込む工程と、
前記粘着剤を乾燥させ前記金型の形状を持つ付け爪接着用テープを形成する工程と、
前記付け爪接着用テープを前記金型から取り出す工程を有する付け爪接着用テープの製造方法。
【請求項７】
前記金型に前記粘着剤を流し込む工程の前に、前記金型の表面に前記金型の形状に合わせて加工した剥離層を作る工程を有し、
前記粘着剤を前記剥離層の上に流し込む、請求項６に記載の付け爪接着用テープの製造方法。
【請求項８】
前記金型に前記粘着剤を流し込む工程の前に、前記金型の表面に表面加工を施す工程を有し、前記粘着剤を前記表面加工を施した金型に流し込む、請求項６に記載の付け爪接着用テープの製造方法。
【請求項９】
前記凹部の底部に押し出しピンが設けられ、
前記押し出しピンを押し上げることにより、前記付け爪接着用テープを前記金型から取り出す、請求項８に記載の付け爪接着用テープの製造方法。
【請求項１０】
前記金型の形状を持つ付け爪接着用テープを形成する工程の後、前記付け爪接着用テープの表面に剥離層を形成する工程を有する請求項６から請求項９のうちのいずれか１項に記載の付け爪接着用テープの製造方法。
【請求項１１】
前記金型に粘着剤を流し込む工程の後、流し込んだ粘着剤の上に、あらかじめ前記金型の形状に合わせて加工した剥離層を載せる工程を有し、
上下の剥離層に挟んだ状態で前記粘着剤を乾燥させ付け爪接着用テープを形成する請求項６から請求項９のうちのいずれか１項に記載の付け爪接着用テープの製造方法。
【請求項１２】
粘着剤は、粘度が８０〜３００００ｃｐｓ、粘着力が２００〜３０００ｇの水溶性粘着剤である請求項６から請求項１１のうちのいずれか１項に記載の付け爪接着用テープ。
【請求項１３】
粘着剤は、粘度が１００〜１００００ｃｐｓ、粘着力が５〜３５００ｇの溶剤性粘着剤である請求項６から請求項１１のうちのいずれか１項に記載の付け爪接着用テープ。
【請求項１４】
複数の付け爪を有する付け爪チップ群を前記付け爪チップ群を隙間なくはめ込むことができる加工台に設置する工程と、
前記加工台に設置した前記付け爪チップ群の上から、付け爪接着用テープ部分が前記付け爪の接着剤貼付領域に合うように形成されている付け爪接着用テープシートを被せる工程と、
前記付け爪接着用テープシートの上から前記加工台を押さえ込み、前記付け爪接着用テープを前記付け爪に圧着する工程を有する付け爪の製造方法。
【請求項１５】
前記付け爪接着用テープを前記付け爪に圧着する工程では、前記付け爪の接着剤貼付領域の曲面形状に対応した凸部から形成される弾性体を用いて圧着する、請求項１４に記載の付け爪の製造方法。
【請求項１６】
前記付け爪接着用テープシートは、付け爪接着用テープ部分の前記付け爪と接着しない側の面が１枚の剥離紙に密着しており、
前記剥離紙は、前記付け爪接着用テープ部分の周囲に点線状の切り取り線が設けられており、
前記加工台を押さえ込んだ状態で前記剥離紙を前記切り取り線に沿って切り離す工程を備えた、請求項１４または請求項１５に記載の付け爪の製造方法。
【発明の詳細な説明】
【技術分野】
【０００１】
本発明は、着脱自在な付け爪接着用テープ、付け爪、付け爪接着用テープの製造方法、および付け爪の製造方法に関するものである。
【背景技術】
【０００２】
従来、種々の目的から人工の付け爪が使用されている。付け爪は通常、種々の合成樹脂材料を爪の形に加工することにより製造される。
付け爪を人体の爪に接着する方法としては、付け爪の裏面または人体の爪の表面に接着剤を塗布し、両者を接合する方法が知られている。また、付け爪の形に対応した形状のシート状粘着テープを付け爪の裏面または人体の爪の表面に貼着し、粘着テープを介して両者を接合する方法も知られている。
【０００３】
付け爪と爪の接着強度は使用者の爪の形状によって差が生じる。付け爪と人体の爪の曲率が異なると、接着剤層の一部が人体の爪に接着せず使用中に付け爪が浮き上がったり剥がれたりすることがある。
これを解決するため、特許文献１に記載の付け爪は、接着剤層の厚みを一定にせず部分によって変化させている。これは、接着剤層の厚みが増すと粘着強度が高まるとともに様々な形状の爪に対して接着面の形状が柔軟に対応しやすいという利点があるからである。
【特許文献１】特開平１０−２１５９４６号公報
【発明の開示】
【発明が解決しようとする課題】
【０００４】
しかし、従来、接着剤層は粘着剤を塗布することにより形成しており、この方法では接着剤層の厚みを部分により変える加工をするのは困難であった。
そこで本発明は、粘着力に優れ、製造の容易な付け爪用接着テープおよびその製造方法、付け爪およびその製造方法を提供することを目的とする。
【課題を解決するための手段】
【０００５】
本発明による付け爪接着用テープは、付け爪の接着剤貼付領域の曲面形状に対応し前記接着剤貼付領域との接着面を形成する粘着性の曲面部と、上記曲面部の対面に形成され人体の爪との接着面を形成する粘着性の平面部を有し、上記曲面部と上記平面部によって囲われる形状の厚みは中央部から側沿部に向かうに従って減少し、上記中央部から爪の先端方向への厚みの減少率が上記中央部から爪の根元方向への厚みの減少率よりも小さい。これにより、様々な形状の爪に対して付け爪の粘着強度を高めることができる。
【０００６】
また、上記曲面部に対応した形状に加工され上記曲面部に密着する第１の剥離層と、上記平面部に密着する第２の剥離層を設けることにより、付け爪接着用テープ単体で商品とすることも可能となる。
【０００７】
また、本発明による付け爪接着用テープを形成するのに適した粘着剤は、粘度が８０〜３００００ｃｐｓで粘着力が２００〜３０００ｇの水溶性粘着剤、粘度が１００〜１００００ｃｐｓで粘着力が５〜３５００ｇの溶剤性粘着剤である。
【０００８】
本発明による付け爪は、上記の付け爪接着用テープを接着剤貼付領域に有する。これにより、様々な形状の爪に対して付け爪の粘着強度を高めることができる。
【０００９】
本発明による付け爪接着用テープの製造方法は、付け爪の接着剤貼付領域の曲面形状に対応した凹部より形成される金型に粘着剤を流し込む工程と、上記粘着剤を乾燥させ上記金型の形状を持つ付け爪接着用テープを形成する工程と、上記付け爪接着用テープを上記金型から取り出す工程を有する。
これにより、様々な形状の爪に対して付け爪の粘着強度を高めることができる付け爪接着用テープを容易且つ精緻に製造することができる。
【００１０】
また、上記金型に粘着剤を流し込む工程の前に上記金型の表面に金型の形状に合わせて加工した剥離層を作る工程を有し、上記粘着剤を上記剥離層の上に流し込むことが望ましい。これにより金型から付け爪接着用テープを取り出しやすくなる。
【００１１】
または、上記金型に粘着剤を流し込む工程の前に、上記金型の表面に表面加工を施す工程を有し、上記粘着剤を上記表面加工を施した金型に流し込むようにしても同様の効果が得られる。
この場合、上記凹部の底部に押し出しピンを設け、上記押し出しピンを押し上げることにより、上記付け爪接着用テープを上記金型から容易に取り出すことができる。
【００１２】
また、上記金型の形状を持つ付け爪接着用テープを形成する工程の後、上記付け爪接着用テープの表面に剥離層を形成する工程を有することにより付け爪接着用テープの粘着面を保護することができる。
【００１３】
また、上記金型に粘着剤を流し込む工程の後、流し込んだ粘着剤の上に、あらかじめ上記金型の形状に合わせて加工した剥離層を載せる工程を設け、上下の剥離層に挟んだ状態で前記粘着剤を乾燥させ、付け爪接着用テープを形成するようにしてもよい。
これにより、付け爪の付け爪接着用テープを容易且つ精緻に製造することができる。
【００１４】
また、前記粘着剤は、粘度が８０〜３００００ｃｐｓで粘着力が２００〜３０００ｇの水溶性粘着剤、粘度が１００〜１００００ｃｐｓで粘着力が５〜３５００ｇの溶剤性粘着剤であることが望ましい。
【００１５】
本発明による付け爪の製造方法は、複数の付け爪を有する付け爪チップ群を上記付け爪チップ群を隙間なくはめ込むことができる加工台に設置する工程と、上記加工台に設置した上記付け爪チップ群の上から付け爪接着用テープ部分が上記付け爪の接着剤貼付領域に合うように形成されている付け爪接着用テープシートを被せる工程と、上記付け爪接着用テープシートの上から上記加工台を押さえ込み上記付け爪接着用テープを上記付け爪に圧着する工程を有する。
これにより、様々な形状の爪に対して付け爪の粘着強度を高めることができる付け爪を容易且つ精緻に製造することができる。
【００１６】
また、上記付け爪接着用テープを上記付け爪に圧着する工程では上記付け爪の接着剤貼付領域の曲面形状に対応した凸部から形成される弾性体を用いて圧着することにより、より好ましい形状の接着部を形成することができる。
【００１７】
また、上記付け爪接着用テープシートは、付け爪接着用テープ部分の上記付け爪と接着しない側の面が１枚の剥離紙に密着しており、上記剥離紙は上記付け爪接着用テープ部分の周囲に点線状の切り取り線が設けられており、上記加工台を押さえ込んだ状態で上記剥離紙を上記切り取り線に沿って切り離すようにすることで、付け爪接着用テープ接着後の処理を効率化することができる。
【発明を実施するための最良の形態】
【００１８】
実施例１．
図１（ａ）図は、本発明による付け爪接着用テープの付け爪と接着する面を示した平面図、同図（ｂ）は同（ａ）のＡ−Ａ線断面図、同図（ｃ）は同（ａ）のＢ−Ｂ線断面図である。（ａ）図の下側が爪の根元に対応する。
付け爪接着用テープ１００は全体が粘着性の材料で形成されており、材料としては、例えば、オリバインＢＰＳ１１０９（東洋インキ製造（株））またはサイビノールＡＴ−５００、ＡＴ−１８１（サイデン（株））等を適宜使用できる。その他にも、水溶性、溶剤性、ホットメルト性等の、各種の市販品を用いることができる。
なお、水溶性粘着剤の場合には、粘度は８０〜３００００ｃｐｓ、粘着力は２００〜３０００ｇの範囲であることが望ましい。また、溶剤性粘着剤の場合には、粘度は１００〜１００００ｃｐｓ、粘着力は５〜３５００ｇであることが望ましい。ここで、粘度は粘度計Ｂ型（２番、６０回転）による測定値を示している。また、粘着力はＪＩＳ  Ｚ  ０２３７に規定された条件により測定した値を示している。
【００１９】
図１（ｂ）図および（ｃ）図に示すように、付け爪接着用テープ１００は、中心部ほど厚みがあり、側沿部に向かうに従い徐々に薄くなる。ただし、同（ａ）図の上側方向については、他の方向と比べ厚みが減少する割合が緩やかになっている。付け爪接着用テープ１００の厚みが大きいほど、粘着強度は高くなる。厚みは、例えば、最も厚い箇所を０．６ミリ、最も薄い箇所を０．１ミリとすることができる。
【００２０】
図２に、付け爪接着用テープ１００の使用方法を示す。図２（ａ）図は付け爪２００の裏面（指と接着する面）を示す図、図２（ｂ）図は人体の爪９００への接着方法を示す図である。図に示すように、付け爪接着用テープ１００は付け爪２００の裏面の人体の爪９００と重なる領域に貼られている。使用時には付け爪接着用テープ１００を人体の爪９００と接着させることにより、人体の爪９００に付け爪２００が接合される。
【００２１】
付け爪２００の幅および曲面の形状は、統計データから得られた左右１０本の指の爪の形状に合わせて決定されている。縦方向の長さは標準的な人体の爪より長めに形成されている。付け爪２００の材料としては、ポリエチレン、ポリプロピレン、ＡＢＳ、ＡＥＳ、ＥＶＡ、ＥＥＡ等の合成樹脂材料が用いられ、射出成型により製造される。
【００２２】
次に、付け爪接着用テープ１００の製造方法を説明する。
図３（ａ）は付け爪接着用テープ製造用金型１２０の斜視図、図３（ｂ）は同（ａ）図のＡ−Ａ線断面図である。図に示すように付け爪接着用テープ製造用金型１２０には凹型１２５が複数設けられている。凹型１２５は付け爪２００の付け爪接着用テープ１００を貼り付ける領域の曲面形状と対応している。
付け爪接着用テープ製造用金型１２０は例えばステンレス製とすることができる。また、表面にテフロン（登録商標）加工を施してもよい。
【００２３】
図４を用いて、付け爪接着用テープ製造用金型１２０を用いた付け爪接着用テープ１００の製造方法を説明する。まず、図４（ａ）図に示すように、付け爪接着用テープ製造用金型１２０の上にリケイシート１１０を載せて加熱および加圧し、リケイシート１１０を凹型１２５に合わせてエンボス加工する。図４（ｂ）図にリケイシート１１０が加工された状態を示す。
リケイシート１１０には、伸縮特性のあるポリエチレンフィルム等を使用することができる。
【００２４】
次に、図４（ｃ）に示すように、付け爪接着用テープ製造用金型１２０の凹型１２５内に、付け爪接着用テープ１００を形成する粘着剤を流し込む。余分な粘着剤は除去し、図４（ｄ）に示すように表面を平らにする。
粘着剤を乾燥させた後、図４（ｅ）に示すようにリケイシート１３０を上に載せ、付け爪接着用テープ１００と貼り合わせる。
最後に、付け爪接着用テープ製造用金型１２０からリケイシート１１０，１３０ごと付け爪接着用テープ１００を引き離すと、図４（ｆ）に示すように、リケイシート１１０，１３０によって挟まれた付け爪接着用テープ１００が得られる。
【００２５】
次に、付け爪２００に付け爪接着用テープ１００を接着する方法について説明する。
図５（ａ）は、付け爪２００への付け爪接着用テープ１００の接着加工用の加工台３００の斜視図、図５（ｂ）は、加工台３００に載せる付け爪チップ群２５０の斜視図である。また、図６（ａ）は加工台３００の上面図、図６（ｂ）は、同（ａ）図のＡ−Ａ線断面図、図６（ｃ）は同（ａ）図のＢ−Ｂ線断面図であり、図７（ａ）は、加工台３００に載せる付け爪チップ群２５０の平面図、図７（ｂ）図は同（ａ）図のＡ−Ａ線断面図、図７（ｃ）図は同（ａ）図のＢ−Ｂ線断面図である。
【００２６】
加工台３００は、本体３１０上に、２本のガイドピン３２０、付け爪受用溝３３０、ガイド用溝３４０が設けられている。加工台３００は、例えばシリコン製とすることができる。
付け爪チップ群２５０は、加工台３００のガイドピン３２０にはめ込む２つのガイドピン用穴２５１、複数の付け爪２００、枝部２５３を備えている。個々の付け爪２００は、枝部２５３側が爪の先側になるように形成されている。
【００２７】
付け爪チップ群２５０は、加工台３００の付け爪受用溝３３０およびガイド用溝３４０に隙間なくのるように形成されており、ガイドピン用穴２５１をガイドピン３２０にはめ込むと枝部２５３がガイド用溝３４０に、個々の付け爪２００が付け爪受用溝３３０に収まるようになっている。図７の（ａ）図に示す面が、付け爪チップ群２５０を加工台３００に載せたときに上になる面であり、付け爪２００の裏側（人体の爪と接合する側）が上になる。
【００２８】
加工台３００に付け爪チップ群２５０をセットしたら、付け爪チップ群２５０の上に図８に示す付け爪接着用テープシート１５０を載せる。
図８（ａ）は付け爪接着用テープシート１５０を付け爪チップ群２５０に載せたとき上側になる面、図８（ｂ）図は同（ａ）図のＡ−Ａ線断面図である。付け爪接着用テープシート１５０は、図４に示す方法で製造される。ただし、この場合用いる付け爪接着用テープ製造用金型１２０は、凹型１２５の配置が、付け爪チップ群２５０の付け爪接着用テープ１００接着位置に対応している。付け爪接着用テープシート１５０は、ガイドピン用穴１５４を加工台３００のガイドピン３２０にはめ込むと、付け爪接着用テープ１００の部分が、各付け爪２００のテープ接着位置に合うように形成されている。
【００２９】
リケイシート１５１には、付け爪接着用テープ１００の周囲を取り囲むように点線状の切り取り線１５２が加工されている。また、複数の切り取り線１５２を繋ぐ点線状の切り取り線１５３がさらに設けられている。なお、付け爪チップ群２５０側のリケイシートは接着加工時には剥離されている。
【００３０】
図９は加工台３００に付け爪チップ群２５０と付け爪接着用テープシート１５０をセットした状態での図８（ａ）図のＡ−Ａ線断面図である。図９に示すように、付け爪２００が付け爪受用溝３３０の内面に隙間なく接触し、付け爪接着用テープ１００の位置が付け爪２００の接着位置に正確に合っている。
【００３１】
次に、図１０に示す加工用圧縮板４００を用いて、付け爪接着用テープ１００を付け爪２００に接着する。加工用圧縮板４００は、本体４１０に複数の凸部４２０が設けられている。各々の凸部４２０は、加工台３００上に設置された付け爪２００のテープ接着位置に対応して配置されている。図１０（ｂ）に示すように、加工用圧縮板４００を凸部４２０の面を下にして付け爪接着用テープシート１５０の上から加工台３００に圧着させると、付け爪接着用テープ１００を付け爪２００の裏面に密着させることができる。
【００３２】
図１１は、加工用圧縮板４００による付け爪接着用テープ１００の接着加工を説明する図である。図１１（ａ）に示すように凸部４２０の先端は例えばシリコンゴムで形成されており、付け爪２００の付け爪接着用テープ１００の接着部分の曲面形状に対応している。リケイシート１５１の上から凸部４２０を圧着することにより、同（ｂ）図に示すように付け爪接着用テープ１００を付け爪２００に密着させることができる。
【００３３】
次に、図１２（ａ）に示すように、加工用圧縮板４００を加工台３００に圧着している状態でリケイシート１５１を図中のＡ方向に引っ張り、切り取り線１５２，１５３に沿って外側のリケイシート１５１を切り取ると、同（ｂ）図に示す状態の付け爪チップ群２５０が得られる。さらに内側のリケイシート１５１を剥離すると、同（ｃ）図に示すように、付け爪接着用テープ１００の部分にのみリケイシート１５１が残る。
図１３（ａ）に、この状態での付け爪２００の斜視図、同（ｂ）図に同（ａ）図のＡ−Ａ線断面図を示す。
以上の手順により、使用時にリケイシートを剥がすだけで、指の爪に接着可能な付け爪が得られる。
【００３４】
実施例２．
図１４を用いて、図４に示す方法とは異なる付け爪接着用テープ１００の製造方法を説明する。
図１４（ａ）図に示す付け爪接着用テープ製造用金型１２１は、図４に示した付け爪接着用テープ製造用金型１２０と同様に、付け爪接着用テープ１００の形状に合わせた凹型が形成されている。ただし、付け爪接着用テープ製造用金型１２１の凹型の最深部にはイジェクトピン１２２が備えられている。イジェクトピン１２２は、凹型内に形成された付け爪接着用テープ１００を下から押し上げることにより、容易に取り出せるように設けられている。
【００３５】
図４に示した方法では、付け爪接着用テープ製造用金型１２０にリケイシート１１０を敷いてから粘着剤を流し込んだが、実施例２では、図１４（ｂ）図に示すように、リケイシート１１０を敷く代わりに付け爪接着用テープ製造用金型１２１の凹型壁面に表面加工層１２３を設けることにより、粘着剤が付け爪接着用テープ製造用金型１２１に固着しないようにする。表面加工層１２３は、例えばテフロン（登録商標）加工またはシリコン加工等の表面加工により形成することができる。
【００３６】
次に、図１４（ｃ）図に示すように、表面加工を施した付け爪接着用テープ製造用金型１２１の凹型内に付け爪接着用テープ１００を形成する粘着剤を流し込む。余分な粘着剤は除去し、同（ｄ）図に示すように表面を平らにする。
粘着剤を乾燥させた後、同（ｅ）図に示すようにリケイシート１３０を上に載せ、付け爪接着用テープ１００と貼り合わせる。
付け爪接着用テープ１００を付け爪接着用テープ製造用金型１２０より取り出す際には、イジェクトピン１２２を押し上げることにより付け爪接着用テープ１００を凹型１２５壁面から浮かせて取り出す。
【００３７】
以上の工程により、同（ｆ）図に示すように、片面にリケイシート１３０を張り合わせた状態の付け爪接着用テープ１００が得られる。
上記の方法によって図８に示した付け爪接着用テープシート１５０を製造することができる。
【００３８】
実施例３．
図１５を用いて、図４および図１４に示す方法とは異なる付け爪接着用テープ１００の製造方法を説明する。
図１５（ａ）図に示すように、リケイシート１３０は、付け爪接着用テープ製造用金型１２０とは異なる形状の凹型を有する金型を用いてエンボス加工される。図１５（ｂ）図に示すように、付け爪接着用テープ製造用金型１２０の凹型１２５内にリケイシート１１０の上から粘着剤を流し込み、図１５（ｃ）に示すように、あらかじめエンボス加工したリケイシート１３０を上から載せる。
粘着剤を乾燥させた後、図１５（ｄ）に示すように付け爪接着用テープ製造用金型１２０からリケイシート１１０，１３０ごと付け爪接着用テープ１００を取り出すと、リケイシート１１０，１３０によって挟まれた付け爪接着用テープ１００が得られる。
実施例３による付け爪接着用テープ１００を用いれば、付け爪接着用テープ１００を付け爪２００の裏面に貼付する際、図１０に示すような加工用圧縮板４００を用いて圧着する必要がない。
【図面の簡単な説明】
【００３９】
【図１】図１（ａ）図は付け爪接着用テープの平面図、図１（ｂ）図は同図（ａ）のＡ−Ａ線断面図、図１（ｃ）図は同図（ａ）のＢ−Ｂ線断面図である。
【図２】図２は付け爪接着用テープの使用方法を示す説明図である。
【図３】図３（ａ）図は付け爪接着用テープ製造用金型の斜視図、図３（ｂ）図は同図（ａ）のＡ−Ａ線断面図である。
【図４】図４（ａ）〜図４（ｆ）は付け爪接着用テープの製造方法を示す説明図である。
【図５】図５（ａ）図は接着加工用の加工台の斜視図、図５（ｂ）図は加工台に載せる付け爪チップの斜視図である。
【図６】図６（ａ）図は加工台の平面図、図６（ｂ）図は同図（ａ）のＡ−Ａ線断面図、図６（ｃ）図は同図（ａ）のＢ−Ｂ線断面図である。
【図７】図７（ａ）図は付け爪チップ群の平面図、図７（ｂ）図は同図（ａ）のＡ−Ａ線断面図、図７（ｃ）図は同図（ａ）のＢ−Ｂ線断面図である。
【図８】図８（ａ）図は付け爪接着用テープシートの平面図、図８（ｂ）図は同図（ａ）のＡ−Ａ線断面図である。
【図９】図９は加工台に付け爪チップ群と付け爪接着用テープシートをセットした状態の断面図である。
【図１０】図１０（ａ）図は加工用圧縮板の斜視図、図１０（ｂ）図は加工用圧縮板の使用方法の説明図である。
【図１１】図１１は加工用圧縮板による接着加工を説明する図である。
【図１２】図１２はリケイシートの切り取り方法を説明する図である。
【図１３】図１３（ａ）図は接着テープ付き付け爪の斜視図、図１３（ｂ）図は同図（ａ）のＡ−Ａ線断面図である。
【図１４】図１４（ａ）〜図１４（ｆ）は付け爪接着用テープの製造方法を示す説明図である。
【図１５】図１５は（ａ）〜図１５（ｄ）は付け爪接着用テープの製造方法を示す説明図である。
【符号の説明】
【００４０】
１００  付け爪接着用テープ、１１０，１３０，１５１  リケイシート（剥離層、剥離紙）、１２０，１２１  付け爪接着用テープ製造用金型、１２２  イジェクトピン、１２３  表面加工層、１２５  凹型、１５０  付け爪接着用テープシート、１５２，１５３  切り取り線、１５４  ガイドピン用穴、２００  付け爪、２５０  付け爪チップ群、２５１  ガイドピン用穴、２５３  枝部、３００  加工台、３１０  本体、３２０  ガイドピン、３３０  付け爪受用溝、３４０  ガイド用溝、４００  加工用圧縮板、４１０  本体、４２０  凸部、９００  人体の爪
【図１】
2006305152.tif 000003
【図２】
2006305152.tif 000004
【図３】
2006305152.tif 000005
【図４】
2006305152.tif 000006
【図５】
2006305152.tif 000007
【図６】
2006305152.tif 000008
【図７】
2006305152.tif 000009
【図８】
2006305152.tif 000010
【図９】
2006305152.tif 000011
【図１０】
2006305152.tif 000012
【図１１】
2006305152.tif 000013
【図１２】
2006305152.tif 000014
【図１３】
2006305152.tif 000015
【図１４】
2006305152.tif 000016
【図１５】
2006305152.tif 000017